(57)【要約】【課題】システムデータを格納するための専用の構成部材を設けることなく、効率的にデータ格納を行なうことができるシステムデータの格納装置及び格納方法を提供する。【解決手段】スピーカ１１とマイクロホン１２を含んで通報装置１０が構成される。汎用装置１７は、スピーカ１８とマイクロホン１９を含んで構成され、携帯電話機としての多種多様な機能を実行するための表示器２０とテンキー２１を含んで構成される。通報装置１０におけるシステムデータの登録は、汎用装置１７のスピーカ１８から発せられる音声ｂをマイクロホン１２で受けることによってデータ登録とこれに関連する制御がなされ、同時的に通報装置１０のスピーカ１１から発せられる音声ａをマイクロホン１９で受けることによってデータ登録とこれに関連する制御を行なうことができる。【選択図】図１
2006114963.tif 000002
【特許請求の範囲】
【請求項１】
第１の電子機器への音声登録データおよび／または該第１の電子機器への動作指令データでなるシステムデータの格納を、第２の電子機器に設けられた放音部から発せられる音声を、前記第１の電子機器の有する受音部で受信することによって行なうシステムデータの格納装置であって、
上記第２の電子機器に設けられる放音部は、該第２の電子機器の有する主動作を実行するための音声送出機能に兼用し、かつ前記第１の電子機器への放音を実行する機能を付加して構成することを特徴とするシステムデータの格納装置。
【請求項２】
第１の電子機器への音声登録データおよび／または該第１の電子機器への動作指令データでなるシステムデータの格納を、第２の電子機器から発せられる音声を受信することによって行なうと共に、
前記第２の電子機器から前記第１の電子機器に対し、該第１の電子機器に格納されているシステムデータを該第２の電子機器に転送する指令を行ない得るシステムデータの格納装置であって、
前記第２の電子機器に設けられる放音部は、該第２の電子機器の有する主動作を実行するための音声送出機能に兼用し、かつ前記第１の電子機器への放音を実行する機能を付加して構成することを特徴とするシステムデータの格納装置。
【請求項３】
前記第２の電子機器から前記第１の電子機器に向けて放音される音声は、
登録の対象とするデータを所定の音階に対応付けて送出することを特徴とする請求項１または請求項２に記載のシステムデータの格納装置。
【請求項４】
前記第２の電子機器から前記第１の電子機器に向けて放音される音声は、
動作制御指令の対象とするデータを所定の音階に対応付けて送出することを特徴とする請求項３に記載のシステムデータの格納装置。
【請求項５】
前記第２の電子機器から前記第１の電子機器に向けて放音される音声は、該第１の電子機器へのデータ登録の対象とする基本データと、該基本データの開始と終了のそれぞれに対応させて予め設定した１つまたは複数の音階でなる付加データとから生成されることを特徴とする請求項３または請求項４に記載のシステムデータの格納装置。
【請求項６】
前記第２の電子機器から前記第１の電子機器に向けて放音される音声は、
該第１の電子機器への動作制御指令の対象とする基本データと、該基本データの開始と終了のそれぞれに対応させて予め設定した１つまたは複数の音階でなる付加データとから生成することを特徴とする請求項５に記載のシステムデータの格納装置。
【請求項７】
前記第２の電子機器から前記第１の電子機器に向けて放音される音声は、
登録の対象とする基本データに対応して予め設定された音階の音声に該音声の音階と異なる周波数の音声を重畳して生成することを特徴とする請求項５に記載のシステムデータの格納装置。
【請求項８】
前記第２の電子機器から前記第１の電子機器に向けて放音される音声は、
動作制御指令の対象とする基本データに対応して予め設定された音階の音声に該音声の音階と異なる周波数の音声を重畳して生成することを特徴とする請求項５に記載の通報装置におけるシステムデータの格納装置。
【請求項９】
前記第２の電子機器から発せられる音声は、前記第１の電子機器または他の電子機器から発せられる音声を受信して得られたデータに対応していることを特徴とする請求項１乃至請求項８のいずれかに記載のシステムデータの格納装置。
【請求項１０】
前記第２の電子機器が複数設けられ、該複数の第２の電子機器のいずれかから前記第１の電子機器に対し、該第１の電子機器に格納されているシステムデータを該複数の第２の電子機器のそれぞれに転送する指令を行なうための転送制御部を前記第１の電子機器に設けたことを特徴とする請求項２乃至請求項９のいずれかに記載のシステムデータの格納装置。
【請求項１１】
第１の電子機器への音声登録データおよび／または該第１の電子機器への動作指令データでなるシステムデータの格納を、第２の電子機器から発せられる音声を受信することによって行なうシステムデータの登録方法であって、
上記第２の電子機器から発せられる放音は、該第２の電子機器の有する主動作を実行するための音声を送出し得ると共に、前記第１の電子機器への放音を兼ねて送出することを特徴とするシステムデータの格納方法。
【請求項１２】
第１の電子機器への音声登録データおよび／または該第１の電子機器への動作指令データでなるシステムデータの格納を、第２の電子機器から発せられる音声を受信することによって行なうと共に、
前記第２の電子機器から前記第１の電子機器に対し、該第１の電子機器に格納されているシステムデータを該第２の電子機器に転送する指令を行ない得る
システムデータの格納方法であって、
前記第２の電子機器に設けられる放音部は、該第２の電子機器の有する主動作を実行するための音声送出機能に兼用し、かつ前記第１の電子機器への放音を実行する機能を付加することを特徴とするシステムデータの格納方法。
【発明の詳細な説明】
【技術分野】
【０００１】
本発明は、システムデータの格納装置及び格納方法に関し、特に、第１の電子機器に対する各種のシステムデータを第２の電子機器から発せられる音声を受信することによって実行するシステムデータの格納装置及び格納方法に関する。
【背景技術】
【０００２】
火災発生、機器の故障、不審者の侵入等々の異常事態を各種センサで検知したときに、事前に登録されている電話番号へダイヤルし、その状態を音声メッセージ等で知らせる動作を実行する装置が存在し、その装置には音声メッセージ録音用のマイクロホンや、メッセージ内容を確認するためのスピーカが搭載されている。
【０００３】
このような装置を本明細書の記載では通報装置と称し、このような通報装置を含んで構成される装置を第１の電子機器と称する。
【０００４】
また、この通報装置には事前に登録した電話番号へダイヤルして情報を伝えるための音声データを生成したり、あらかじめ録音した人の肉声を送出したりすることができる装置を含んで構成される例があり、一方、本明細書に記載の汎用装置とは、当該の第１の電子機器に対して音声データの制御を行うための装置であり、この汎用装置を含む装置を第２の電子機器と称し、携帯電話機やＰＤＡ等であり、本来の動作制御を行なうように指令するために設けられているテンキーやその他の操作ボタンを本来の使用と兼ねて用いる部材の構成部分の略称である。
【０００５】
従来のシステムデータの格納装置の具体例を例えば図９に示すシステムデータの格納装置を参照して説明すると、図において通報装置１を含んで構成される第１の電子機器と、専用装置６との間に通信線が接続され、この通信線を用いて通報装置１と専用装置６の間で通信が行なわれるように構成されている。
【０００６】
通報装置１は、第１の電子機器（携帯電話機）における所定の動作を実行するための表示器２とテンキー３を有すると共にスピーカ５とマイクロホン４を有して構成され、表示器２を見ながらテンキー３を操作することによって所定の相手との通話が、スピーカ５から発せられる通話相手からの音声と、マイクロホン４によって自分の声が通話相手に送信される。
【０００７】
一方、通報装置１を含んで構成される第１の電子機器（携帯電話機）に対して機器外部からシステムデータを登録する場合には、専用装置６の有する表示器７の表示を見ながらテンキー８を操作することによって所望のシステムデータを通信線を介して通報装置１に送信することによってデータ登録を行なっている。
【０００８】
また、［特許文献１］に開示されているボタン電話装置によれば、音声をマイクロホンから入力して自機器に記憶させ必要なときに該記憶された音声を出力するように構成した例もある。
【０００９】
【特許文献１】特開平１−１７３９９３号公報（第１図、実施例の項に開示）
【発明の開示】
【発明が解決しようとする課題】
【００１０】
従来のシステムデータの格納装置及び格納方法においては、次のような問題がある。
【００１１】
第１の問題は、システムデータを格納することに専用に用いられるテンキーや表示器等の専用構成部材を設けているので全体構成が大規模になると共に価格が上昇することである。
【００１２】
また、これらの専用構成部材を設けずに、電話回線を利用してシステムデータの登録を行なうようなシステムも考えられるが、この場合には通信料が別途にかかってしまうという難点がある。
【００１３】
第２の問題は、複数の通報装置で全て同じシステムデータ、または一部が同じシステムデータを使用したい場合、例えば複数の通報装置に対して同じ通報宛先の電話番号を登録しようとする場合には、複数台分の設定操作を複数機器に対して繰り返し行なわなければならず、煩雑作業をユーザーに強いることになるということである。
【００１４】
そこで、本発明の目的は、システムデータを格納するための専用の構成部材を設けることなく、複数の電子機器に対して同じシステムデータ（一部が異なる場合を含む）を使用する場合に効率的にデータ格納を行なうことができるシステムデータの格納装置及び格納方法を提供することにある。
【課題を解決するための手段】
【００１５】
前述の課題を解決するため本発明のシステムデータの格納装置及び格納方法は次のような特徴的な構成を採用している。
【００１６】
（１）第１の電子機器への音声登録データおよび／または該第１の電子機器への動作指令データでなるシステムデータの格納を、第２の電子機器に設けられた放音部から発せられる音声を、前記第１の電子機器の有する受音部で受信することによって行なうシステムデータの格納装置であって、上記第２の電子機器に設けられる放音部は、該第２の電子機器の有する主動作を実行するための音声送出機能に兼用し、かつ前記第１の電子機器への放音を実行する機能を付加して構成するシステムデータの格納装置。
【００１７】
（２）第１の電子機器への音声登録データおよび／または該第１の電子機器への動作指令データでなるシステムデータの格納を、第２の電子機器から発せられる音声を受信することによって行なうと共に、前記第２の電子機器から前記第１の電子機器に対し、該第１の電子機器に格納されているシステムデータを該第２の電子機器に転送する指令を行ない得るシステムデータの格納装置であって、前記第２の電子機器に設けられる放音部は、該第２の電子機器の有する主動作を実行するための音声送出機能に兼用し、かつ前記第１の電子機器への放音を実行する機能を付加して構成するシステムデータの格納装置。
【００１８】
（３）前記第２の電子機器から前記第１の電子機器に向けて放音される音声は、
登録の対象とするデータを所定の音階に対応付けて送出する上記（１）または（２）のシステムデータの格納装置。
【００１９】
（４）前記第２の電子機器から前記第１の電子機器に向けて放音される音声は、
動作制御指令の対象とするデータを所定の音階に対応付けて送出する上記（３）のシステムデータの格納装置。
【００２０】
（５）前記第２の電子機器から前記第１の電子機器に向けて放音される音声は、該第１の電子機器へのデータ登録の対象とする基本データと、該基本データの開始と終了のそれぞれに対応させて予め設定した１つまたは複数の音階でなる付加データとから生成される上記（３）または（４）のシステムデータの格納装置。
【００２１】
（６）前記第２の電子機器から前記第１の電子機器に向けて放音される音声は、該第１の電子機器への動作制御指令の対象とする基本データと、該基本データの開始と終了のそれぞれに対応させて予め設定した１つまたは複数の音階でなる付加データとから生成する上記（５）のシステムデータの格納装置。
【００２２】
（７）前記第２の電子機器から前記第１の電子機器に向けて放音される音声は、登録の対象とする基本データに対応して予め設定された音階の音声に該音声の音階と異なる周波数の音声を重畳して生成する上記（５）のシステムデータの格納装置。
【００２３】
（８）前記第２の電子機器から前記第１の電子機器に向けて放音される音声は、動作制御指令の対象とする基本データに対応して予め設定された音階の音声に該音声の音階と異なる周波数の音声を重畳して生成する上記（５）のシステムデータの格納装置。
【００２４】
（９）前記第２の電子機器から発せられる音声は、前記第１の電子機器または他の電子機器から発せられる音声を受信して得られたデータに対応している上記（１）乃至（８）のいずれかのシステムデータの格納装置。
【００２５】
（１０）前記第２の電子機器が複数設けられ、該複数の第２の電子機器のいずれかから前記第１の電子機器に対し、該第１の電子機器に格納されているシステムデータを該複数の第２の電子機器のそれぞれに転送する指令を行なうための転送制御部を前記第１の電子機器に設けた上記（２）乃至（９）のいずれかのシステムデータの格納装置。
【００２６】
（１１）第１の電子機器への音声登録データおよび／または該第１の電子機器への動作指令データでなるシステムデータの格納を、第２の電子機器から発せられる音声を受信することによって行なうシステムデータの格納方法であって、上記第２の電子機器から発せられる放音は、該第２の電子機器の有する主動作を実行するための音声を送出し得ると共に、前記第１の電子機器への放音を兼ねて送出するシステムデータの格納方法。
【００２７】
（１２）第１の電子機器への音声登録データおよび／または該第１の電子機器への動作指令データでなるシステムデータの格納を、第２の電子機器から発せられる音声を受信することによって行なうと共に、前記第２の電子機器から前記第１の電子機器に対し、該第１の電子機器に格納されているシステムデータを該第２の電子機器に転送する指令を行ない得るシステムデータの格納方法であって、前記第２の電子機器に設けられる放音部は、該第２の電子機器の有する主動作を実行するための音声送出機能に兼用し、かつ前記第１の電子機器への放音を実行する機能を付加するシステムデータの格納方法。
【発明の効果】
【００２８】
本発明は、通報装置に元々あるマイクロホンおよびスピーカを使用してシステムデータの登録やコピーを行うため、別途に専用の入力手段を設ける必要がなくなり、構成の簡略化が図れる。
【００２９】
また、マイクロホンやスピーカを介してやりとりする信号はＤＴＭＦ信号等の音声帯域のものであるため、専用の外部機器を用意する必要はなく、パソコン等の汎用品（携帯電話、ＰＨＳ等）である、第２の電子機器でシステムデータ格納を行うことができる。
【００３０】
さらに、第２の電子機器（通報装置）に元々あるスピーカを利用して音声帯域の信号に変換したシステムデータを送出しているので、汎用機器で音声帯域の信号を録音、再生できれば、容易にシステムデータがコピーできることである。
【実施例１】
【００３１】
本実施例のシステムデータの格納装置におけるデータの登録は、第１の電子機器の有する通報装置に対するシステムデータの登録と制御を行なう第２の電子機器（汎用装置）を、携帯電話機の有する着信メロディ等の楽曲作成機能を実行する構成を利用して行なう場合に本発明を適用した例である。
【００３２】
本実施例は、通報装置１０と汎用装置１７でその要部が構成され、通報装置１０と汎用装置１７によってシステムデータの登録とその制御を行なわせることができ、通報装置１０はスピーカ１１とマイクロホン１２を含んで構成され、汎用装置１７にもスピーカ１８とマイクロホン１９が設けられ、携帯電話機としての多種多様な機能を実行するための表示器２０とテンキー２１を含んで構成されている。
【００３３】
この通報装置１０におけるシステムデータの登録は、汎用装置１７の有するスピーカ１８から発せられる音声ｂをマイクロホン１２で受けることによってデータ登録とこれに関連する制御がなされ、同時的に通報装置１０のスピーカ１１から発せられる音声ａをマイクロホン１９で受けることによってデータ登録とこれに関連する制御を行なうことができる。
【００３４】
通報装置１０の詳細構成を示す図２において、通報装置１０の全体を複合的に制御するためのＣＰＵ１３が設けられ、これに送出手段１４と検出手段１５が接続されている。
【００３５】
送出手段１４は、通報装置におけるシステムデータの登録のためのデータをスピーカ１１から発せられる音声帯域の信号を生成するもので、ＤＴＭＦ信号を生成して出力する手段、または音階信号を生成して出力する手段で構成され、検出手段１５は、通報装置から発せられる音声を受けたマイクロホン１２の信号を検出、即ち、ＤＴＭＦ信号を検出する手段、または音階信号を検出する手段で構成されている。
【００３６】
なお、ＣＰＵ１３に接続されているメモリ１６は、通報装置におけるシステムデータの登録に関して必要とされるデータの格納と、読み出しを行なうものである。
【００３７】
このように構成される通報装置１０に対する登録と制御を実行する汎用装置１７は、図３に詳細構成を示すように、汎用装置１７の全体を複合的に制御するためのＣＰＵ２２が設けられ、これに送出手段２３と検出手段２４が接続されている。
【００３８】
送出手段２３は、通報装置におけるシステムデータの登録のためのデータをスピーカ１８から発せられる音声帯域の信号を生成するもので、ＤＴＭＦ信号を生成して出力する手段、または音階信号を生成して出力する手段で構成され、検出手段２４は、通報装置から発せられる音声を受けたマイクロホン１９の信号を検出、即ち、ＤＴＭＦ信号を検出する手段、または音階信号を検出する手段で構成されている。
【００３９】
ＣＰＵ２２に接続されているメモリ２５は、通報装置におけるシステムデータの登録に関して必要とされるデータの格納と、読み出しを行なうものである。
【００４０】
さらに、汎用装置１７の有するＣＰＵ２２には、表示器２０とテンキー２１が接続され、この表示器２０は、汎用装置１７の有するメイン動作、汎用装置１７が例えば携帯電話機であった場合には、通常の音声通話やメール送受信に必要な多種の操作を確認するために用いられるものをシステムデータの登録のために兼用するものであり、システムデータの登録のために専用に設けられたものでは無く、汎用装置１７のメイン動作のための表示機能をそのまま流用するものである。
【００４１】
また、テンキー２１は、汎用装置１７の有するメイン動作、即ち携帯電話機の有する通常の音声通話やメール送受信に必要な多種の操作に用いられるものをシステムデータの登録のために兼用するものであり、システムデータの登録のために専用に設けられたものでは無く、汎用装置１７のメイン動作のためのテンキー機能をそのまま流用するものである。
【００４２】
なお、システムデータを容易にコピーできるシステムを構成する場合には、上述の構成に追加して、読み換えたシステムデータを帯域の信号で送出するＤＴＭＦ信号送出手段、または音階送出手段、とスピーカ手段を構成要素として付加することが考えられる。
【００４３】
以上のように構成された［実施例１］の動作を、図４に示すフローチャートを用いて説明する。先ず、通報装置１０においてシステムデータの作成を行なうのかコピーを行なうのかをステップＳ１において判定し、データ作成の実行の場合にはステップＳ５に移行し、データコピーの実行の場合にはステップＳ２に移行する。
【００４４】
ステップＳ１でデータコピーと判定されたときには、ステップＳ２でコピー元である通報装置１０のスピーカ１１からＤＴＭＦ信号に対応する音声、または音階信号に対応する音声を送出し、この音声を汎用装置１７のマイクロホン１９で受信し、ステップＳ３に移行し、汎用装置１７の側で受信した信号に対応する音声を汎用装置１７のスピーカ１８から送出して通報装置１０のマイクロホン１２で受信する。
【００４５】
そして、次のステップＳ４に移行し、コピー先である通報装置１０ではマイクロホン１２で受信した音声信号をシステムデータに読み替えて通報装置１０の有するメモリ１６に格納する。
【００４６】
一方、ステップＳ１でデータ作成と判定されたときには、ステップＳ５に移行し、汎用装置１７の表示器２０の内容を確認しながらテンキー２１を用いてシステムデータを入力し、次のステップＳ６に移行して、汎用装置１７で入力されたシステムデータをＣＰＵ２２による制御の基に送出手段２３によって音声帯域の信号に変換され、この信号がスピーカ１８に印加されることによってスピーカ１８から音声が送出される。
【００４７】
そして、ステップＳ７に移行し、通報装置１０では汎用装置１７のスピーカ１８から発せられた音声をマイクロホン１２で受信し、この内容をＣＰＵ１３による制御の基にシステムデータに読み変えてＣＰＵ１３に格納する。
【００４８】
以上のようにして通報装置１０と汎用装置１７の間でシステムデータの登録に関する音声の送受がなされるのであるが、その具体的な信号形態について説明する。
【００４９】
本例では汎用装置１７を含んで携帯電話機が構成されているので、その楽曲作成機能を流用してシステムデータ登録用信号を生成する場合、信号形態がシリアル信号で第１音、第２音、第３音・・・というように生成され、第１音が固定データで、第２音が対象データで、第３音以降がデータ設定値である場合、これらの音が例えば図５に示すように、第１音２６が固定データとされて「ド」の音階で設定開始とされ、第２音２７が対象データとされ、「ド＃」の音階が通報宛先電話番号に対応付けられ、「レ」の音階が通報装置１０のＩＤに対応付けられ、「レ＃」の音階がセンサ数に対応付けられる。
【００５０】
また、第２音２７の次に設定される第３音以降２８は、最終音送出の後に無音状態が１秒以上経過したときにデータ終了とみなし、また、設定を継続する場合には第１音２６へ戻り、固定データの設定から再び実行される。
【００５１】
第３音以降２８はデータ設定値であり、「ド」の音階が数字の「０」に対応付けられ、「ド＃」の音階が数字の「１」に対応付けられ、「レ」の音階が数字の「２」に対応付けられ、「レ＃」の音階が数字の「３」に対応付けられ、「ミ」の音階が数字の「４」に対応付けられ、「ファ」の音階が数字の「５」に対応付けられ、「ファ＃」の音階が数字の「６」に対応付けられ、「ソ」の音階が数字の「７」に対応付けられ、「ソ＃」の音階が数字の「８」に対応付けられ、「ラ」の音階が数字の「９」に対応付けられている。
【００５２】
また、図６に示すように通報装置１０と携帯電話機２９（汎用装置１７の構成要素を包含している）の間でのシステムデータの登録が、携帯電話機２９から発せられる「ド・レ＃・ミ」という音声であった場合には、最初の「ド」の音階発生で設定開始と判断され、次の「レ＃」の音階発生で「センサ数」を対象データとするものと判断され、次の「ミ」の音階発生で対象データが「４」であると判断され、即ち、「センサ数が４である」という内容が携帯電話機２９から通報装置１０に伝達されるのである。
【実施例２】
【００５３】
本発明の［実施例１］は、図１ないし図６を用いて説明した通りであり、その基本的構成を変更した例を［実施例２］として図７を用いて説明する。本例では、利用する音声帯域の信号について工夫し、ＤＴＭＦ信号または音階を、システムデータに変換する必要最小限のものとせず、利用する音声帯域の信号について、本来の対象データの前に開始信号を意味する音階信号を付加し、当該の対象データの直後に終了信号を意味する音階信号を付加することによってシステムデータの登録における秘匿性を向上させている。即ち、所定のユーザー以外の人がシステムデータの格納に関して勝手にシステムデータが変更されることがないように工夫している。
【００５４】
即ち、データの開始と終了の箇所でシステムデータの前後を区切る決まりを設け、予め決められたデータパターンの入力でデータの開始と終了を特定することによってより確実なデータ入力を行なうことができるようにし、予め定められた所定の複数音階、例えば３つの音階を受信したときにデータ開始と判断し、予め設定された所定の複数音階を受信したときにデータ終了と判断するようにすることによってシステムデータが他人によって予期せずに変更されることを防止できる。
【００５５】
その具体例は、本発明に係る第１の電子機器が汎用装置を含んで構成されるＰＤＡを用いた場合には、図７に示すように、ＰＤＡ３１の中にＭＩＤＩファイルの編集再生ソフトウェアをインストールしておき、文字入力したデータ、即ち音階のドレミ表示データに対応する音声を生成することができる機能を利用し、ＰＤＡ３１の表示画面３２に表示された文字の「ドレレ」という表示３２ａをシステムデータ開始信号とし、次の「ドレミ」という表示３２ｂを本来のシステムデータとし、次の「ドシシ」という表示３２ｃをシステムデータの終了とする。
【００５６】
従って、最初の「ド」の音階発生で設定開始と判断され、次の「レ」の音階発生で「通報装置ＩＤ」を対象データとするものと判断され、次の「ミ」の音階発生で対象データが「４」であると判断され、即ち、「通報装置ＩＤが４である」という内容がＰＤＡ３１から通報装置１０に伝達されるのである。
【実施例３】
【００５７】
今まで説明した［実施例２］は、登録するシステムデータに対応する音声（音階）の前後に開始信号と終了信号を付加することによってシステムデータの登録における秘匿性を向上させることができるのであるが、さらに強力な秘匿性を持たせた例を［実施例３］として図８を用いて説明する。
【００５８】
図８に示すＰＤＡ３３は汎用装置を含んで構成され、ＰＤＡ３３の中にＭＩＤＩファイルの編集再生ソフトウェアをインストールしておき、文字入力したデータ、即ち音階のドレミ表示データに対応する音声を生成することができる機能を利用し、ＰＤＡ３３の表示画面３４に表示された文字の「ドレミファソラシド」という表示３４ａをシステムデータ開始信号とし、次の「ドレミ」という表示３４ｂを本来のシステムデータとし、次の「ドレミファ」という表示３４ｃをシステムデータの終了とする。
【００５９】
従って、表示３４ａにて範囲指定された「ドレミファソラシド」という音声が、通報装置１０のマイクロホン１２によって検知されると通報装置１０の側で設定開始と判断され、次にＰＤＡ３３から送出される音声（音階）が対象データであると判断され、最初の「ド」の音階発生で設定開始と判断され、次の「レ」の音階発生で「通報装置ＩＤ」を対象データとするものと判断され、次の「ミ」の音階発生で対象データが「４」であると判断され、即ち、「通報装置ＩＤが４である」という内容がＰＤＡ３３から通報装置１０に伝達されるのである。
【００６０】
一方、汎用装置から通報装置１０に向けて送出されるシステムデータに対応する音声の音階（周波数）の付加成分をオクターブ４以下の音、即ち、９８７．７７Ｈｚの「シ」で作成し、この付加成分に対象データを意味する基本成分であるオクターブ５以上の音、即ち、１０４６．５Ｈｚの「ド」を混合して通報装置１０に向かって送出する。
【００６１】
このような付加成分と基本成分の混合された音声を受けた通報装置１０では、フィルタ回路により１ｋＨｚ以下の音だけを取り出すことで、システムデータの成分を検出できる。
【００６２】
通報装置はシステムデータを入力するための入力手段（テンキー等）を持たないが、マイクロホンから入力される音声帯域の信号（ＤＴＭＦ信号、音階等）を検出し、システムデータに変換してメモリに格納することができる。
【００６３】
そのため、専用のシステムデータ設定器を用意しなくても、メモリに格納した音声帯域の信号をスピーカから送出できる汎用機器（パソコン、携帯電話、ＰＨＳ等）があれば、システムデータを登録することができる。
【００６４】
またそれらの汎用機器では、表示器で確認しながらテンキーでシステムデータを作成、編集することもできる。
【００６５】
また通報装置のスピーカから、すでに登録されたシステムデータを音声帯域の信号で出力して、それを汎用機器のマイクロホンで受信後メモリに格納すれば、簡単にシステムデータをコピーすることができる。
【図面の簡単な説明】
【００６６】
【図１】本発明によるシステムデータの格納装置の［実施例１］の基本回路ブロック図である。
【図２】図１中に示される通報装置の詳細なブロック回路構成を示すブロック図である。
【図３】図１中に示される汎用装置の詳細なブロック回路構成を示すブロック図である。
【図４】図１ないし図３に示されるシステムデータの格納装置の［実施例１］の動作を説明するためのフローチャートである。
【図５】［実施例１］における第１音ないし第３音と、テンキーの数字との対応関係を示す図である。
【図６】［実施例１］における通報装置と携帯電話機のとの通信状態を示す図である。
【図７】本発明によるシステムデータの格納装置の［実施例２］の通報装置と汎用装置との通信状態を示す図である。
【図８】本発明によるシステムデータの格納装置の［実施例３］の通報装置と汎用装置との通信状態を示す図である。
【図９】従来のシステムデータの格納装置の一例を示すブロック図である。
【符号の説明】
【００６７】
１  通報装置
２  表示器
３  テンキー
４  マイクロホン
５  スピーカ
６  専用装置
７  表示器
８  テンキー
１０  通報装置
１１  スピーカ
１２  マイクロホン
１３  ＣＰＵ
１４  送出手段
１５  検出手段
１６  メモリ
１７  汎用装置
１８  スピーカ
１９  マイクロホン
２０  表示器
２１  テンキー
２２  ＣＰＵ
２３  送出手段
２４  検出手段
２５  メモリ
２６  第１音
２７  第２音
２８  第３音
【図１】
2006114963.tif 000003
【図２】
2006114963.tif 000004
【図３】
2006114963.tif 000005
【図４】
2006114963.tif 000006
【図５】
2006114963.tif 000007
【図６】
2006114963.tif 000008
【図７】
2006114963.tif 000009
【図８】
2006114963.tif 000010
【図９】
2006114963.tif 000011